(57)【要約】【課題】容器の周縁に設けた嵌め合せ部が変形しにくく、確実に密封できる食品容器を提供する。【解決手段】本発明の食品容器１は、シート厚１３μｍ〜３０μｍの薄肉合成樹脂シートから形成してなり、容器本体部２のフランジ部２１に上方又は下方に突出させて形成した嵌め合せ部２２を設け、蓋部３のフランジ部３１に該嵌め合せ部２２に嵌め合せ可能な被嵌め合せ部３２を設けてあり、該嵌め合せ部２２及び該被嵌め合せ部３２の先端側の折り曲げ部分２３，３３を角張らせて形成してあることを特徴とする。【選択図】図２
2010058838.tif 000002
【特許請求の範囲】
【請求項１】
シート厚１３μｍ〜３０μｍの薄肉合成樹脂シートから形成してなり、容器本体部のフランジ部に上方又は下方に突出させて形成した嵌め合せ部を設け、蓋部のフランジ部に該嵌め合せ部に嵌め合せ可能な被嵌め合せ部を設けてあり、該嵌め合せ部及び該被嵌め合せ部の先端側の折り曲げ部分を角張らせて形成してある食品容器。
【請求項２】
前記嵌め合せ部及び前記被嵌め合せ部を全周に渡り形成してある請求項１に記載の食品容器。
【発明の詳細な説明】
【技術分野】
【０００１】
本発明は、合成樹脂シートからなる、食品などを包装する食品容器に関する。
【背景技術】
【０００２】
合成樹脂シートからなる食品容器は、主に弁当容器や食品パックなどとして食品を包装するために用いられている。
このような食品容器は、内部に収容した食料品などから水分が流れ出すおそれがあるため、本体と蓋との隙間から水分が漏出しないように密封性を高める必要がある。
そこで、密封性を高めるために、容器及び蓋に設けた屈曲嵌合縁部の口縁側を略Ｓ字状に屈曲させた密封容器が開発されている（下記特許文献１の請求項１、図２など参照）。
また、容器の開口縁に凸状嵌部を形成し、凸状嵌部を蓋の周縁に設けた凹状嵌部に嵌め合わせ可能に形成し、凸状嵌部及び凹状嵌部を嵌め合わせた際、凸状嵌部の頂部表面と凹状嵌部の頂部裏面との間に空間を形成した包装用容器が開発されている（下記特許文献２の請求項１、図３など参照）。
【０００３】
【特許文献１】特開２０００−１７７７６４号公報
【特許文献２】特開２００７−２１６９７６号公報
【発明の開示】
【発明が解決しようとする課題】
【０００４】
しかし、上記のような食品容器の嵌め合せ部は、円弧状乃至湾曲状に折り曲げて形成してあるため強度がなく、嵌め合せた際に、嵌め合せ部が変形し、密封できなくなることがあった。
【０００５】
そこで、本発明の目的は、容器の周縁に設けた嵌め合せ部が変形しにくく、確実に密封できる食品容器を提供することにある。
【課題を解決するための手段】
【０００６】
本発明の食品容器は、シート厚１３μｍ〜３０μｍの薄肉合成樹脂シートから形成してなり、容器本体部のフランジ部に上方又は下方に突出させて形成した嵌め合せ部を設け、蓋部のフランジ部に該嵌め合せ部に嵌め合せ可能な被嵌め合せ部を設けてあり、該嵌め合せ部及び該被嵌め合せ部の先端側の折り曲げ部分を角張らせて形成してあることを特徴とする。
【０００７】
従来では、肉厚があるため折り曲げ部分は円弧状乃至湾曲状に形成されていたが、本発明では、シート厚を１３μｍ〜３０μｍの薄肉にすることにより、該嵌め合せ部及び該被嵌め合せ部の先端側の折り曲げ部分を角張らせて形成することができ、このように形成した食品容器は、嵌め合せ部及び被嵌め合せ部の先端側の強度が高まり変形しにくく、密封性を確保することができる。
【０００８】
前記嵌め合せ部及び前記被嵌め合せ部を全周に渡り形成することが好ましい。
【０００９】
このような構成にすることにより、内部の密封性を高めることができるとともに容器全体の強度も高めることができる．
【発明を実施するための最良の形態】
【００１０】
以下、本発明の食品容器の一実施形態を、図面に基づいて説明する。
図１は本発明の一実施形態の食品容器の斜視図、図２は図１の食品容器の横断面図、図３は図１の食品容器の嵌め合せ部及び被嵌め合せ部の拡大断面図である。
【００１１】
本発明の一実施形態の食品容器１は、図１に示すように、容器本体部２と蓋部３とからなり、容器本体部２のフランジ部２１に設けた嵌め合せ部２２を、蓋部３のフランジ部３１に設けた被嵌め合せ部３２に嵌め合せ可能に形成してある。
【００１２】
食品容器１は、シート厚１３μｍ〜３０μｍ、好ましくは１５μｍ〜２１μｍの合成樹脂シートを熱成形して製造することができ、例えば、ポリスチレン系樹脂シート、ポリエチレン系樹脂シート、ポリプロピレン系樹脂シート、ポリエチレンテレフタレート系樹脂シートなどの熱可塑性樹脂シートを、真空成形、圧空成形、真空圧空成形、熱板成形などの熱成形をして製造することができる。
【００１３】
容器本体部２は、略矩形状の底面部２ａの周囲から上方に向け形成した周壁部２ｂを有し、周壁部２ｂの上端には外方に張り出したフランジ部２１が形成してある。
フランジ部２１には、周方向に上方に突出した嵌め合せ部２２が形成してあり、嵌め合せ部２２は、図３に示すように、基端側が若干窄まり、上端両隅部が傾斜状になるように形成してあり、また、先端側の折り曲げ部分２３は角張らせて形成してある。
【００１４】
蓋部３は、略矩形状の上面部３ａの周囲から下方に向け形成した周壁部３ｂを有し、周壁部３ｂの下端には外方に張り出したフランジ部３１が形成してある。
フランジ部３１には、周方向に上方に突出した被嵌め合せ部３２が形成してあり、被嵌め合せ部３２の内側に嵌め合せ部２２が嵌め合せできるようにしてある。被嵌め合せ部３２は、図３に示すように、基端側が若干窄まり、上端両隅部が傾斜状になるように形成してあり、また、先端側の折り曲げ部分３３は角張らせて形成してある。
嵌め合せ部２２と被嵌め合せ部３２とは嵌め合せた際、図３に示すように、上端両隅の傾斜状に形成した部分は空間になるようにしてあり、他の部分は略密着するように形成してある。
【００１５】
食品容器１は、シート厚を１３μｍ〜３０μｍの薄肉にしたため、折り曲げ部分２３，３３を角張らせて形成することができ、このように形成した嵌め合せ部及び被嵌め合わせ部は強度に優れており、変形しにくく密封性を確保することができる。
【００１６】
本発明の食品容器の他の形態としては、図４に示すように、嵌め合せ部及び被嵌め合せ部の上端両隅部を略直角状に折り曲げて形成することもできる。また、嵌め合せ部及び被嵌め合せ部は、下方に突出させて形成することもできる。
上記実施形態では、全周に渡り嵌め合せ部２２及び被嵌め合せ部３２を形成してあるが、断続的に周方向に形成することも可能である。
【００１７】
上記実施形態の構成態様は、本発明を限定するものとして挙げたものではなく、技術目的を共通にするかぎり変更は可能であり、本発明はそのような変更を含むものである。
【図面の簡単な説明】
【００１８】
【図１】本発明の一実施形態の食品容器を示した斜視図である。
【図２】図１の食品容器を示した横断面図である。
【図３】図１の食品容器の嵌め合せ部及び被嵌め合せ部を示した拡大断面図である。
【図４】本発明の他の実施形態の食品容器の嵌め合せ部及び被嵌め合せ部を示した拡大断面図である。
【符号の説明】
【００１９】
１食品容器  ２容器本体部  ２ａ底面部  ２ｂ周壁部  ２１フランジ部  ２２嵌め合せ部  ２３折り曲げ部分  ３蓋部  ３ａ上面部  ３ｂ周壁部  ３１フランジ部  ３２被嵌め合せ部  ３３折り曲げ部分
【図１】
2010058838.tif 000003
【図２】
2010058838.tif 000004
【図３】
2010058838.tif 000005
【図４】
2010058838.tif 000006